(57)【要約】【課題】簡単な構成で、安価に、スクリーンの投影面と、投影レンズの光軸に直交する基準線とを平行となるように配置できる画像投影装置を提供する。【解決手段】画像生成部２１ｃおよび光源ユニット２１ａを有する投影手段２１と、投影手段２１を収納する本体ケース２２と、本体ケース２２から導出された投影レンズ２３とからなる投影機２と、投影手段２１により生成された画像を、投影レンズ２３を介して投影するスクリーン３とを備えた画像投影装置１において、投影機２は、スクリーン３の投影面３１に対して延びるスクリーン面平行調整手段６を更に備え、投影機２によりスクリーン３に画像を投影する際、予め、スクリーン面平行調整手段６により、投影レンズ２３の光軸Ｌに直交するＸ方向における基準線ＳＬと、投影面３１とが平行となるように調整する。【選択図】図６
2007178475.tif 000002
【特許請求の範囲】
【請求項１】
画像生成部および光源ユニットユニットを有する投影手段と、前記投影手段を収納する本体ケースと、前記本体ケースから導出された投影レンズとからなる投影機と、前記投影手段により生成された画像を、前記投影レンズを介して投影するスクリーンとを備えた画像投影装置において、
前記投影機は、可搬型であって、前記本体ケースに装着されたスクリーン面平行調整手段を更に備え、前記スクリーン面平行調整手段は、前記スクリーンの投影面に対して伸縮自在の一対の調整具を有し、前記投影機により前記スクリーンに画像を投影する際、予め、前記調整具を、前記スクリーンに当接せしめ、前記投影レンズの光軸に直交するＸ方向における基準線と、前記投影面とが平行となるように調整することを特徴とする画像投影装置。
【請求項２】
画像生成部および光源ユニットを有する投影手段と、前記投影手段を収納する本体ケースと、前記本体ケースから導出された投影レンズとからなる投影機と、前記投影手段により生成された画像を、前記投影レンズを介して投影するスクリーンとを備えた画像投影装置において、
前記投影機は、前記スクリーンの投影面に対して延びるスクリーン面平行調整手段を更に備え、前記投影機により前記スクリーンに画像を投影する際、予め、前記スクリーン面平行調整手段により、前記投影レンズの光軸に直交するＸ方向における基準線と、前記投影面とが平行となるように調整することを特徴とする画像投影装置。
【請求項３】
前記スクリーン面平行調整手段は、前記本体ケースに対して着脱自在に装着されていることを特徴とする請求項１または請求項２に記載の画像投影装置。
【請求項４】
前記調整具は、前記投影面の方向に伸縮した際、当該調整具の伸縮長さが判別できるように目印が形成されていることを特徴とする請求項１または請求項２に記載の画像投影装置。
【請求項５】
前記調整具は、パイプ状の複数本の径の異なる相対的に短尺の調整部材からなり、前記調整部材を細径のものを内側にして伸縮自在に組み合わされていることを特徴とする請求項１、請求項２または請求項４のいずれかに記載の画像投影装置。
【請求項６】
前記調整具は、平面が湾曲した伸縮式のテープ状の調整部材からなり、前記調整部材は、収納ケース内に引出し可能に収納されていることを特徴とする請求項１、請求項２または請求項４のいずれかに記載の画像投影装置。
【請求項７】
前記調整部材の先端に、フック状の係合片が形成されていることを特徴とする請求項５または請求項６に記載の画像投影装置。
【請求項８】
前記スクリーン面平行調整手段は、相対的に噛合う一対のギヤと、前記ギヤの夫々に装着され、前記投影面の方向に伸縮自在な調整具とを有し、前記調整具は、前記ギヤの回転に伴って、前記光軸を中心として同一角度で相反する方向に回転可能に形成されていることを特徴とする請求項１乃至請求項３のいずれかに記載の画像投影装置。
【請求項９】
前記スクリーン面平行調整手段は、相対的に噛合う一対のギヤと、固定軸に回動可能に軸支された回動片と、前記回動片に装着され、前記投影面の方向に伸縮自在な調整具と、前記ギヤと前記回動片とを連結するベルトとを有し、前記調整具は、前記ギヤの回転に伴って、前記光軸を中心として同一角度で相反する方向に回転可能に形成されていることを特徴とする請求項１乃至請求項３のいずれかに記載の画像投影装置。
【請求項１０】
画像生成部および光源ユニットを有する投影手段と、前記投影手段を収納する本体ケースと、前記本体ケースから導出された投影レンズとからなる投影機、およびスクリーンを備えた画像投影装置を用いて、前記投影手段により生成された画像を、前記投影レンズを介して前記スクリーンに投影する画像投影方法において、
前記投影機は、前記スクリーンの投影面に対して延びるスクリーン面平行調整手段を更に備え、前記投影機により前記スクリーンに画像を投影する際、予め、前記スクリーン面平行調整手段により、前記投影レンズの光軸に直交するＸ方向における基準線と、前記投影面とが平行となるように調整するとともに、前記画像の投影時に、前記スクリーン面平行調整手段により前記スクリーンを固定することを特徴とする画像投影方法。
【発明の詳細な説明】
【技術分野】
【０００１】
本発明は、例えば、画像投影プロジェクタなどの投影機により、スクリーンに画像を投影する画像投影装置およびこの画像投影装置を用いた画像投影方法に関するものである。
【背景技術】
【０００２】
従来から、パソコンや光ディスクなどの再生装置等からの画像データを基に、光源ユニットと画像生成部を有する投影手段により、光源ユニットから出射される光を用いて画像生成部内で画像を形成し、その画像を投影レンズによりスクリーンに投射して表示させる投影機がある。このような投影機を用いて拡大画像をスクリーンに投影するには、例えば、図１４に示すように投影機とスクリーンとを配置する必要がある。図１４は、投影機とスクリーンとの配置関係を示す平面図である。即ち、スクリーン３の投影面３１と、投影機２の投影レンズ２３の光軸Ｌに直交するＸ方向（投影レンズ２３の正面側から見て左右方向）における軸線ＳＬ（以下、基準線と称す。）とが平行になるように、投影機２とスクリーン３を配置する必要がある。
【０００３】
なお、図１５に示すように、投影機２を水平軸Ｆに対して投影レンズ２３の光軸Ｌが上方（Ｚ方向）に傾斜（α角度）するように配置することがある。図１５は、投影機とスクリーンとの配置関係を示す側面図である。この場合、スクリーン３に投影された画像は、上方が大きい逆台形状の画像となるが、一般的に、この画像補正は、傾斜角度αに対応してソフトウェア的に、画像補正が行われている。従って、本発明においては、Ｚ方向における画像歪みは、対象としない。
【０００４】
従来、例えば、ホールに設置された投影機に対してレール上を移動可能な可動台車と、可動台車に取り付けられたスクリーンとを有し、投影機からスクリーンに投影するに際し、可動台車を移動させて、スクリーンを投影機に対して所定の位置関係となるようにしたものがある(例えば、特許文献1参照）。
【０００５】
また、基本パターンの画像を発生させる画像発生手段と、画像発生手段によって発生した画像をスクリーンに投影する投影手段と、スクリーンに投影された画像を撮像する撮像手段と、撮像手段によって撮像された画像中の基本パターン画像の発生した画像に対する歪み量を測定する測定手段と、歪み量に応じて画像投影手段によって投影される画像を補正する画像補正手段とを設けたものがある（例えば、特許文献２参照）。
【特許文献１】特開平７−２３４４９号公報
【特許文献２】特開平１０−２００８３６号公報
【発明の開示】
【発明が解決しようとする課題】
【０００６】
しかし、前述の特許文献１記載の構成では、スクリーンを載置する可動台車およびレールを敷設する必要があり、その構成が極めて大掛かりとなり、その設備構成が高価となり、大ホールなど限られた場合にしか利用できない。また、特許文献２記載の構成では、基本パターンの画像を発生させる画像発生手段、撮像手段、基本パターン画像の発生した画像に対する歪み量を測定する測定手段および画像投影手段によって投影される画像を補正する画像補正手段などが別途必要となり、投影機の構成が複雑となり、かつ、高価なものとなるなどの問題があった。
【０００７】
本発明は、上述した問題を解決するためになされたものであり、簡単な構成で、安価に、スクリーンの投影面と、投影レンズの光軸に直交する基準線とを平行となるように配置できる画像投影装置を提供することを目的とする。
【課題を解決するための手段】
【０００８】
かかる目的を達成するため、本発明では、画像生成部および光源ユニットを有する投影手段と、投影手段を収納する本体ケースと、本体ケースから導出された投影レンズとからなる投影機と、投影手段により生成された画像を、投影レンズを介して投影するスクリーンとを備えた画像投影装置において、投影機は、可搬型であって、本体ケースに装着されたスクリーン面平行調整手段を更に備え、スクリーン面平行調整手段は、スクリーンの投影面に対して伸縮自在の一対の調整具を有し、投影機によりスクリーンに画像を投影する際、予め、調整具を、スクリーンに当接せしめ、投影レンズの光軸に直交するＸ方向における基準線と、投影面とが平行となるように調整する。
【０００９】
この構成によれば、スクリーン面平行調整手段の調整具をスクリーン側に伸ばし、その先端がスクリーンに当接するようにして、投影レンズの光軸に直交するＸ方向における基準線と、投影面とが平行となるように調整すれば、極めて簡単にスクリーンと、可搬型の投影機とのセッティングが行える。しかも、スクリーンの投影面に対して伸縮自在の一対の調整具を有するスクリーン面平行調整手段を投影機側に設けるのみでよく、その構成は極めて簡単となり、安価なものとなる。
【００１０】
また、本発明においては、画像生成部および光源ユニットを有する投影手段と、投影手段を収納する本体ケースと、本体ケースから導出された投影レンズとからなる投影機と、投影手段により生成された画像を、投影レンズを介して投影するスクリーンとを備えた画像投影装置において、投影機は、スクリーンの投影面に対して延びるスクリーン面平行調整手段を更に備え、投影機によりスクリーンに画像を投影する際、予め、スクリーン面平行調整手段により、投影レンズの光軸に直交するＸ方向における基準線と、投影面とが平行となるように調整する。
【００１１】
この構成によれば、スクリーン面平行調整手段の先端がスクリーンに当接するようにして、投影レンズの光軸に直交するＸ方向における基準線と、投影面とが平行となるように調整すれば、極めて簡単にスクリーンと、投影機とのセッティングが行える。しかも、スクリーン面平行調整手段を投影機側に設けるのみでよく、その構成は極めて簡単となり、安価なものとなる。
【００１２】
また、本発明においては、スクリーン面平行調整手段は、本体ケースに対して着脱自在に装着する。
【００１３】
この構成によれば、スクリーン面平行調整手段が本体ケースに対して着脱自在に装着される。従って、スクリーン面平行調整手段を必要に応じて複数種類用意しておけば、その用途に応じて適宜選択することができる他、持ち運びなどの際に嵩張らないので、都合がよい。
【００１４】
また、本発明においては、調整具は、投影面の方向に伸縮した際、当該調整具の伸縮長さが判別できるように目印を形成する。
【００１５】
この構成によれば、調整具に目印が付されているので、伸縮長が簡単に判別できる。従って、その調整を簡単に行うことができ、都合がよい。
【００１６】
また、本発明においては、調整具は、パイプ状の複数本の径の異なる相対的に短尺の調整部材からなり、調整部材を細径のものを内側にして伸縮自在に組み合わせて形成する。
【００１７】
この構成によれば、調整具は、パイプ状の複数本の径の異なる相対的に短尺の調整部材からなり、調整部材を細径のものを内側にして伸縮自在に組み合わせている。従って、調整具は、振り出し竿のようにコンパクトに収納することができ、都合がよい。
【００１８】
また、本発明においては、調整具は、平面が湾曲した伸縮式のテープ状の調整部材からなり、調整部材は、収納ケース内に引出し可能に収納するように形成する。
【００１９】
この構成によれば、調整具は、平面が湾曲した伸縮式のテープ状の調整部材からなり、調整部材は、収納ケース内に引出し可能に収納している。従って、調整部材は、収納ケース内に、コンパクトに収納することができる他、調整部材としてより長尺のものを簡単に作成することができ、都合がよい。
【００２０】
また、本発明においては、調整部材の先端に、フック状の係合片を形成する。
【００２１】
この構成によれば、調整具の先端にフック状の係合片が形成されているので、例えば、スクリーン側に設けられた係合部に係合片を係合することにより、スクリーンを固定することができる。従って、固定されていない小型のスクリーンなどが、室内の空調などの対流の影響を受けて、投影中に動くことがなくなり、都合がよい。
【００２２】
また、本発明においては、スクリーン面平行調整手段は、相対的に噛合う一対のギヤと、ギヤの夫々に装着され、投影面の方向に伸縮自在な調整具とを有し、調整具は、ギヤの回転に伴って、光軸を中心として同一角度で相反する方向に回転可能に形成する。
【００２３】
この構成によれば、スクリーン面平行調整手段は、相対的に噛合う一対のギヤと、ギヤの夫々に装着され、投影面の方向に伸縮自在な調整具とを有し、調整具は、ギヤの回転に伴って、光軸を中心として同一角度で相反する方向に回転可能に形成している。従って、一対の調整具は、一方の調整具を動かせば、同一角度で相反する方向に、一対の調整具が扇状にスクリーン側に広がるので、より精度よくスクリーンと投影機とのセッティングが行え、都合がよい。
【００２４】
スクリーン面平行調整手段は、相対的に噛合う一対のギヤと、固定軸に回動可能に軸支された回動片と、回動片に装着され、投影面の方向に伸縮自在な調整具と、ギヤと回動片とを連結するベルトとを有し、調整具は、ギヤの回転に伴って、光軸を中心として同一角度で相反する方向に回転可能に形成する。
【００２５】
この構成によれば、相対的に噛合う一対のギヤと、固定軸に回動可能に軸支された回動片と、回動片に装着され、投影面の方向に伸縮自在な調整具と、ギヤと回動片とを連結するベルトとを有し、調整具は、ギヤの回転に伴って、光軸を中心として同一角度で相反する方向に回転可能に形成している。従って、一対の調整具は、一方の調整具を動かせば、回動片、ベルトおよびギヤを介して、他方の調整具が同一角度で相反する方向に動く。その結果、調整具をスクリーン側に向かってより大きく広げることができるので、横方向に幅の広いスクリーンに対応することができる。また、より精度よくスクリーンと投影機とのセッティングが行え、都合がよい。
【００２６】
更に、本発明においては、画像生成部および光源ユニットを有する投影手段と、投影手段を収納する本体ケースと、本体ケースから導出された投影レンズとからなる投影機、およびスクリーンとを備えた画像投影装置を用いて、投影手段により生成された画像を、投影レンズを介してスクリーンに投影する画像投影方法において、投影機は、スクリーンの投影面に対して延びるスクリーン面平行調整手段を更に備え、投影機によりスクリーンに画像を投影する際、予め、スクリーン面平行調整手段により、投影レンズの光軸に直交するＸ方向における基準線と、投影面とが平行となるように調整するとともに、画像の投影時に、スクリーン面平行調整手段によりスクリーンを固定する。
【００２７】
この構成によれば、投影機によりスクリーンに画像を投影する際、予め、スクリーン面平行調整手段により、投影レンズの光軸に直交するＸ方向における基準線と、投影面とが平行となるように調整するとともに、画像の投影時に、スクリーン面平行調整手段によりスクリーンを固定している。従って、固定されていない小型のスクリーンなどが、室内の空調などの対流によって、投影中に動くことがなくなり、都合がよい。
【発明の効果】
【００２８】
本発明によれば、簡単な構成で、安価に、スクリーンの投影面と、投影レンズの光軸に直交する基準線とを平行となるように配置できる画像投影装置を得ることができる。
【発明を実施するための最良の形態】
【００２９】
（第１実施形態）
以下、本発明の一実施形態を図１乃至図６に基づいて説明する。図１は、本発明の一実施形態に係る画像投影装置に用いる投影機の部品構成を示す構成図、図２は、図１に示す投影機のブロック図、図３および図４は、図１に示す投影機の斜視図で、図３は、スクリーン面平行調整手段を収納した状態を示し、図４は、スクリーン面平行調整手段をスクリーン側に伸ばす状態を示す。図５は、スクリーン面平行調整手段の一例を示す概略構成図、図６は、画像投影装置の概略構成を示す平面図である。
【００３０】
図６に示すように、この画像投影装置１は、例えば、簡単に移動できる可搬型の投影機２と、この投影機２からの画像を投影するスクリーン３と、を備えている。投影機２は、図１に示すように、投影手段２１と、投影手段２１を収納する本体ケース２２と、本体ケース２２の前面側から導出された投影レンズ２３、電源２４と、投影手段２１などを冷却する冷却ファン２５と、これらを制御する制御基板２６などから構成されている。投影手段２１は、光源ユニット２１ａから放射された光を導光して出射させるライトトンネル２１ｂと、ライトトンネル２１ｂから放射される光を用いて画像を形成する画像生成部２１ｃから形成されている。
【００３１】
投影機２は、上述の構成に加えて、図２に示すように、投影手段２１、電源部２４および冷却ファン２５などの制御を司る制御手段４を備えている。この制御手段４は、各種動作を制御するためのプログラムや、外部からのデータを一時的に格納するメモリ４１を有する。また、制御手段４には、ユーザが各種の指令を入力するための入力部５が接続されている。制御手段４は、図1に示す制御基板２６に実装されている。
【００３２】
図３および図４に示すように、本体ケース２２の例えば、底面側に、投影レンズ２３の光軸Ｌ（図６参照）に直交するＸ方向における基準線ＳＬと、スクリーン３の投影面３１とが平行となるように調整するスクリーン面平行調整手段６が、着脱可能に装着されている。スクリーン面平行調整手段６は、光軸Ｌと同じＹ方向であるスクリーン３の投影面３１に対して伸縮自在、例えば、光軸Ｌに平行に伸びる一対の調整具６１を有する。この調整具６１は、例えば、図５に示すように、パイプ状の複数本の径の異なる相対的に短尺の調整部材６１ａ、６１ｂ、６１ｃ、および先端部材６１ｄからなり、調整部材６１ａ、６１ｂ、６１ｃを細径のものを内側にして伸縮自在に組み合わせ、振り出し竿状に形成されている。そして、調整具６１には、投影面３１のＹ方向に伸縮した際、当該調整具６１の伸縮長さが判別できるように、例えば、本体ケース２２の前面からの距離が、メジャーのように目印７として形成されている。
【００３３】
次に、以上の構成による本実施形態において、投影機２およびスクリーン３をセッティングする場合について説明する。先ず、予め、スクリーン面平行調整手段６を装着した投影機２と、スクリーン３とを、図６に示すように所定位置にセットする。その後、スクリーン面平行調整手段６の一対の調整具６１を、スクリーン３に当接するように、Ｙ方向に伸ばす。この時、夫々の調整具６１の目印７を確認して、夫々の調整具６１が同一長さとなるように調整し、投影レンズ２３の光軸Ｌに直交するＸ方向における基準線ＳＬと、投影面３１とが平行となるように調整する。
【００３４】
そして、スクリーン３が、例えば、小型の吊り下げ式で下端部が固定されていなく、室内の空調などの対流によって、投影中にスクリーンが動く場合には、セッティングした後、即ち、画像の投影時にも、調整具６１をスクリーン３側に伸ばし、例えば、その先端がスクリーン３に当接した状態で固定しておく。
【００３５】
この構成により、スクリーン３は、画像の投影時に、スクリーン面平行調整手段により固定される。従って、スクリーン３は、画像の投影時に、室内の空調などの対流によって、動くことがなくなり、都合がよい。
【００３６】
以上の構成による本実施形態では、スクリーン面平行調整手段６の調整具６１をスクリーン３側に伸ばし、その先端がスクリーン３に当接するようにして、投影レンズ２３の光軸Ｌに直交するＸ方向における基準線ＳＬと、投影面３１とが平行となるように調整すれば、極めて簡単にスクリーン３と、可搬型の投影機２とのセッティングが行えるといった効果を奏する。しかも、スクリーン３の投影面３１に対して伸縮自在の一対の調整具６１を有するスクリーン面平行調整手段６を投影機２側に設けるのみでよく、その構成は、極めて簡単となり、安価なものとなる。
【００３７】
また、スクリーン面平行調整手段６は、本体ケース２２に対して着脱自在に装着している。従って、スクリーン面平行調整手段６を必要に応じて複数種類用意しておけば、その用途に応じて適宜選択することができる他、持ち運びなどの際に嵩張らないので、都合がよい。
【００３８】
また、調整具６１に目印７が付されているので、伸縮長が簡単に判別できる。従って、その調整を簡単に行うことができ、都合がよい。
【００３９】
また、調整具６１は、パイプ状の複数本の径の異なる相対的に短尺の調整部材６１ａ、６１ｂ、６１ｃからなり、調整部材６１ａ、６１ｂ、６１ｃを細径のものを内側にして伸縮自在に組み合わせている。従って、調整具６１は、振り出し竿のように、コンパクトに収納することができ、都合がよい。
【００４０】
（第２実施形態）
次に、本発明の第２実施形態について図７乃至図９を参照しながら説明する。図７は、本発明の第２実施形態に係る画像投影装置におけるスクリーン面平行調整手段の調整具の要部を示す概略構成斜視図、図８は、スクリーンの一例を示す正面図、図９は、図８に示すスクリーンの側面図である。なお、図７乃至図９において、上述した図１乃至図６と同じ符号を付した部分は、略同一のものを示すため、ここでは詳細な説明は省略する。以下、上述した実施形態との相違点を中心に説明する。
【００４１】
本実施形態では、図７に示す様に、調整具６１は、平面が湾曲した伸縮式のテープ状の調整部材６１ｅからなり、調整部材６１ｅは、収納ケース６２内に引出し可能に、例えば、図示しないバネ力により、常に巻き取った状態で収納するように形成されている。そして、調整部材６１ｅの先端には、例えば、フック状の係合片６３が形成されている。この係合片６３は、上述した実施形態のように、例えば、スクリーン３を固定する場合、図８および図９に示すスクリーン３の投影面３１を形成する投影幕を収納するケース３２に設けられた係合部３３に係合する。なお、調整具６１には、図示しないが、調整部材６１ｅを所定の長さに伸ばした状態で、維持できるようにストーパー機能を設けてもよいのは勿論である。
【００４２】
以上の構成による本実施形態よれば、上述した実施形態と同様の作用効果を奏する他、調整具６は、平面が湾曲した伸縮式のテープ状の調整部材６１ｅからなり、調整部材６１ｅは、収納ケース６２内に引出し可能に収納している。従って、調整部材６１ｅは、収納ケース６２に、コンパクトに収納することができる他、調整部材６１ｅとしてより長尺のものを簡単に作成することができ、都合がよい。
【００４３】
また、調整部材６１ｅの先端に、フック状の係合片６３が形成されているので、例えば、スクリーン３側に設けられた係合部３３に係合片６３を係合することにより、スクリーン３を簡単に固定することができる。従って、固定されていない小型のスクリーン３などが、室内の空調などの対流によって、投影中に動くことがなくなり、都合がよい。
【００４４】
（第３実施形態）
次に、本発明の第３実施形態について図１０および図１１を参照しながら説明する。図１１は、本発明の第３実施形態に係る画像投影装置におけるスクリーン面平行調整手段の調整具の要部を示す概略構成図、図１１は、図１０に示すスクリーン面平行調整手段の側面図である。なお、図１０および図１１において、上述した図１乃至図９と同じ符号を付した部分は、略同一のものを示すため、ここでは詳細な説明は省略する。以下、上述した実施形態との相違点を中心に説明する。
【００４５】
本実施形態では、図１０および図１１に示す様に、スクリーン面平行調整手段６は、相対的に噛合う一対のギヤ６４と、ギヤ６４の夫々に装着され、投影面３１の方向に伸縮自在な、例えば、上述した第１実施形態で用いた図５に示すような調整具６１とを有する。この調整具６１は、ギヤ６４に夫々一体的に固定され、ギヤ６４の回転に伴って、光軸Ｌを中心として同一角度で相反する方向に回転可能に形成されている。
【００４６】
以上の構成による本実施形態よれば、上述した実施形態と同様の作用効果を奏する他、スクリーン面平行調整手段６は、相対的に噛合う一対のギヤ６４と、ギヤ６４の夫々に装着され、投影面の方向に伸縮自在な調整具６１とを有し、調整具６１は、ギヤ６４の回転に伴って、光軸Ｌを中心として同一角度で相反する方向に回転可能に形成されている。従って、一対の調整具６１は、一方の調整具６１を動かせば、同一角度で相反する方向に、調整具６１が扇状にスクリーン側に向かって広がるので、より精度よく、スクリーンと、投影機２とのセッティングが行え、都合がよい。
【００４７】
（第４実施形態）
次に、本発明の第４実施形態について図１２および図１３を参照しながら説明する。図１２は、本発明の第４実施形態に係る画像投影装置におけるスクリーン面平行調整手段の調整具の要部を示す概略構成図、図１３は、図１２に示すスクリーン面平行調整手段の側面図である。なお、図１２および図１３において、上述した図１乃至図１１と同じ符号を付した部分は、略同一のものを示すため、ここでは詳細な説明は省略する。以下、上述した実施形態との相違点を中心に説明する。
【００４８】
本実施形態では、図１２および図１３に示す様に、スクリーン面平行調整手段６は、相対的に噛合う一対のギヤ６４と、固定軸６５に回動可能に軸支された回動片６６と、この回動片６６に装着され、投影面３１の方向に伸縮自在な調整具６１と、ギヤ６４と回動片６６とを連結するベルト６７とを有し、調整具６１は、ギヤ６４の回転に伴って、光軸Ｌを中心として同一角度で相反する方向に回転可能に形成されている。
【００４９】
以上の構成による本実施形態よれば、上述した実施形態と同様の作用効果を奏する他、一対の調整具６１は、一方の調整具６１を動かせば、回動片６６、ベルト６７およびギヤ６４を介して、他方の調整具６１が同一角度で相反する方向に動く。その結果、調整具６１をスクリーン側に向かってより大きく広げることができるので、前述した第３実施形態に比べ、横方向に幅の広いスクリーンに対応することができる。また、より精度よく、スクリーンと投影機とのセッティングが行え、都合がよい。
【００５０】
なお、上述した実施形態は、本発明の好適な実施例であるが、本発明はこれに限定されるものではなく、本発明の要旨を逸脱しない範囲において、種々変形が可能である。
【００５１】
例えば、上述の実施形態では、スクリーン３として、三脚により支持した支柱から投影幕を吊り下げるようにした移動式のものについて述べたが、例えば、壁などから投影幕を吊り下げるようにした固定式のものに本発明を適用しても良いのは勿論である。
【図面の簡単な説明】
【００５２】
【図１】本発明の一実施形態に係る画像投影装置に用いられる投影機の部品構成を示す構成図である。
【図２】図１に示す投影機のブロック図である。
【図３】図１に示す投影機の斜視図で、スクリーン面平行調整手段を収納した状態を示す。
【図４】図１に示す投影機の斜視図で、スクリーン面平行調整手段をスクリーン側に伸ばす状態を示す。
【図５】スクリーン面平行調整手段の一例を示す概略構成図である。
【図６】本発明の一実施形態に係る画像投影装置の概略構成を示す平面図である。
【図７】本発明の第２実施形態に係る画像投影装置におけるスクリーン面平行調整手段の調整具の要部の他の例を示す概略構成斜視図である。
【図８】スクリーンの一例を示す正面図である。
【図９】図８に示すスクリーンの側面図である。
【図１０】本発明の第３実施形態に係る画像投影装置におけるスクリーン面平行調整手段の調整具の要部を示す概略構成図である。
【図１１】図１０に示すスクリーン面平行調整手段の側面図である。
【図１２】本発明の第４実施形態に係る画像投影装置におけるスクリーン面平行調整手段の調整具の要部を示す概略構成図である。
【図１３】図１２に示すスクリーン面平行調整手段の側面図である。
【図１４】投影機とスクリーンとの配置関係を示す平面図である。
【図１５】投影機とスクリーンとの配置関係を示す側面図である。
【符号の説明】
【００５３】
Ｌ      光軸
ＳＬ    基準線
１      画像投影装置
２      投影機
２１    投影手段
２１ａ  光源ユニット
２１ｃ  画像生成部
２２    本体ケース
２３    投影レンズ
３      スクリーン
３１    投影面
３３    係合部
６      スクリーン面平行調整手段
６１    調整具
６１ａ  調整部材
６１ｂ  調整部材
６１ｃ  調整部材
６１ｅ  調整部材
６２    収納ケース
６３    係合片
６４    ギヤ
６５    固定軸
６６    回動片
６７    ベルト
７      目印
【図１】
2007178475.tif 000003
【図２】
2007178475.tif 000004
【図３】
2007178475.tif 000005
【図４】
2007178475.tif 000006
【図５】
2007178475.tif 000007
【図６】
2007178475.tif 000008
【図７】
2007178475.tif 000009
【図８】
2007178475.tif 000010
【図９】
2007178475.tif 000011
【図１０】
2007178475.tif 000012
【図１１】
2007178475.tif 000013
【図１２】
2007178475.tif 000014
【図１３】
2007178475.tif 000015
【図１４】
2007178475.tif 000016
【図１５】
2007178475.tif 000017